(57)【要約】【課題】小型で軽量であっても磁気効果が強い磁気健康器具を提供する。【解決手段】磁気健康器具１０であって、ハルバッハ配列された複数の磁石１１と、磁石１１の配列を固定するための配列固定部材１２とを備え、配列固定部材１２によって固定された磁石１１が、装備品に取り付けられている。【選択図】図２
0003225739.tif 000002
【実用新案登録請求の範囲】
【請求項１】
ハルバッハ配列された複数の磁石と、
前記磁石の配列を固定するための配列固定部材と、
を備え、  
前記配列固定部材は、前記磁石を収納できる部材であることを特徴とする磁気健康器具。
【請求項２】
上記配列固定部材は柔軟性及び可撓性を有し、使用者の身体に接して用いられる装備品に取り付けられるように構成されていることを特徴とする請求項１記載の磁気健康器具。
【請求項３】
前記装備品の一部分であって、使用者の身体表面に対向する部位に配置されている、ことを特徴とする請求項２に記載の磁気健康器具。
【請求項４】
前記装備品はボディハーネスであり、前記一部分は肩ベルトである、ことを特徴とする請求項２又は３の何れか一項に記載の磁気健康器具。
【請求項５】
前記装備品はリュックサックまたは肩掛けバッグであり、前記一部分は肩ベルトである、ことを特徴とする請求項２又は３の何れか一項に記載の磁気健康器具。
【請求項６】
前記装備品はウエストバッグであり、前記一部分は腰ベルトである、ことを特徴とする請求項２又は３の何れか一項に記載の磁気健康器具。
【請求項７】
前記装備品は履物であり、前記一部分はソールである、ことを特徴とする請求項２又は３の何れか一項に記載の磁気健康器具。
【請求項８】
前記装備品はネックレスであることを特徴とする請求項２又は３の何れか一項に記載の磁気健康器具。
【請求項９】
家庭用磁気治療具であることを特徴とする請求項１記載の磁気健康器具。
【考案の詳細な説明】
【技術分野】
【０００１】
本考案は、磁力により健康を増進させることが可能な磁気健康器具に関する。
【背景技術】
【０００２】
従来、フェライト磁石などの磁石からなる磁性体を人体に作用させると、磁性体が放出する磁気（磁力線、磁束）の力により皮下組織に刺激を与え、血行を促進させたり筋肉を活性化させたりして肩こり等の症状を回復させる効果があることが知られている。この原理を利用した各種の磁気健康器具が開示されている（例えば、特許文献１を参照。）。
【０００３】
また、磁石を装備品に配置することにより、装備品を身に着けた使用者の健康を増進させることが可能な技術が開示されている（例えば、特許文献２〜６を参照。）。
【先行技術文献】
【特許文献】
【０００４】
【特許文献１】実用新案登録第３１６０５５６号公報
【特許文献２】実用新案登録第３０７４６９０号公報
【特許文献３】特開２０００−１５２８１９号公報
【特許文献４】実用新案登録第３０３９０６０号公報
【特許文献５】実用新案登録第３０２５５０５号公報
【特許文献６】特開平８−５６７３４号公報
【考案の概要】
【考案が解決しようとする課題】
【０００５】
しかしながら、上述のような従来技術では、磁石を装備品に配置すると、磁石と身体との間に装備品の一部が介在することになり、磁石と身体との間の距離が遠くなってしまうため人体に刺激を与える磁気が弱い、という問題があった。また、磁気を強くしようとすると磁石が大きくなってしまったり重くなってしまったりする、という問題があった。
【０００６】
本考案は、上述のような実状に鑑みてなされたものであり、小型で軽量であっても磁気効果が強い磁気健康器具を提供することが課題である。
【課題を解決するための手段】
【０００７】
上記課題を解決するために、本考案にあっては下記のような構成を採用した。
すなわち、請求項１に記載の考案は、ハルバッハ配列された複数の磁石と、前記磁石の配列を固定するための配列固定部材とを備え、前記配列固定部材は、前記磁石を収納できる部材であることを特徴とする。
【０００８】
本考案により、健康増進のための磁気効果を飛躍的に高めることができる。
【０００９】
請求項２に記載の考案は、請求項１に記載の考案であって、上記配列固定部材は柔軟性及び可撓性を有し、使用者の身体に接して用いられる装備品に取り付けられるように構成されていることを特徴とする。
【００１０】
従って、本考案に係る磁気健康器具は、使用者が身体に装着する装備品に取り付けて使用することができる。その結果、磁気効果を飛躍的に高められる磁気健康器具を多種類の装備品に内装させて使用することができる。
【００１１】
請求項３に記載の考案は、請求項２に記載の考案であって、前記装備品の一部分であって、使用者の身体表面に対向する部位に配置されていることを特徴とする。
【００１２】
本考案により、磁気効果を適切に使用者に付与することができる。
【００１３】
請求項４に記載の考案は、請求項２又は３に何れか１項に記載の考案であって、前記装備品がボディハーネスであり、前記一部分が肩ベルトであることを特徴とする。
【００１４】
本考案により、ボディハーネスを身に着けた使用者の肩に、磁気効果を適切に付与することができる。
【００１５】
請求項５に記載の考案は、請求項２又は３に何れか１項に記載の考案であって、前記装備品がリュックサックまたは肩掛けバッグであり、前記一部分が肩ベルトであることを特徴とする。
【００１６】
本考案により、リュックサックまたは肩掛けバッグを身に着けた使用者の肩に、磁気効果を適切に付与することができる。
【００１７】
請求項６に記載の考案は、請求項２又は３に何れか１項に記載の考案であって、前記装備品がウエストバッグであり、前記一部分が腰ベルトであることを特徴とする。
【００１８】
本考案により、ウエストバッグを身に着けた使用者の腰に、磁気効果を適切に付与することができる。
【００１９】
請求項７に記載の考案は、請求項２又は３に何れか１項に記載の考案であって、前記装備品が履物であり、前記一部分がソールであることを特徴とする。
【００２０】
本考案により、履物を履いた使用者の足に、磁気効果を適切に付与することができる。
【００２１】
請求項８記載の考案にあっては、前記装備品はネックレスであることを特徴とする。
【００２２】
請求項９記載の考案にあっては、家庭用磁気治療具であることを特徴とする。
【考案の効果】
【００２３】
本考案によれば、ハルバッハ配列された磁石を装備品に装着することにより、磁力を筋肉に集中させ、健康増進のための磁気効果を飛躍的に高めることができる、という効果を奏する。また、他に漏れていた無駄な磁力を使え、磁気漏れによる他への弊害をなくすことができる、という効果をも奏する。
さらに、様々な装備品、家庭用磁気治療器に適用することができるため、磁気健康器具の適用範囲を大幅に拡大することができる。
【図面の簡単な説明】
【００２４】
【図１】ハルバッハ配列の概要を説明するための図である。
【図２】本考案の実施の形態に係る磁気健康器具を示す図である。
【図３】本考案の実施の形態に係る磁気健康器具をボディハーネスに適用した例を示す図である。
【図４】本考案の実施の形態に係る磁気健康器具をリュックサックに適用した例を示す図である。
【図５】本考案の実施の形態に係る磁気健康器具を履物に適用した例を示す図である。
【考案を実施するための形態】
【００２５】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００２６】
図１は、ハルバッハ配列の概要を説明するための図である。
【００２７】
図１において、磁石１１は、例えば、ネオジム磁石、サマリウムコバルト磁石、プラセオ磁石、サマリウム鉄窒素磁石等の希土類磁石である。これらの磁石１１をハルバッハ配列に並べる。
【００２８】
ハルバッハ配列とは、磁界発生空間に対向する主面と直交する磁化方向を有する磁石（主極）を所定の間隔を隔てて並べ、各主極間に主面と平行な磁化方向を有する磁石（補極）を介在させる配列である。補極は、磁化方向が主面に向かう主極（主面の側がＮ極である主極）の側に夫々の磁化方向を向けて配置されている。図１に示した例では、左側から主極、補極、主極、補極、主極の順に並んでいる。
【００２９】
このような小径の磁石１１をハルバッハ配列に従って配置した全体棒状の磁石体Ｍによれば、磁石体Ｍの幅方向の片側にのみ磁界が出現する。この磁界は単なるＮ−Ｓ配列による場合に比して、形成される磁界が補極の作用により強化され、高磁束密度を有する磁界を一方側のみに形成することができる。
【００３０】
図２は、本考案の実施の形態に係る磁気健康器具を示す図である。
【００３１】
図２において、磁気健康器具１０は、ハルバッハ配列された複数の磁石１１と、磁石１１の配列を固定するための配列固定部材１２とを備える。配列固定部材１２は、柔軟性および可撓性を有する軟包材によってチューブ状に形成されている。
【００３２】
配列固定部材１２は、例えば、スチレン系、ポリオレフィン系、ポリウレタン系、ポリエステル系、ポリアミド系、ポリイミド系、ポリブタジエン系、トランスポリイソプレン系、フッ素ゴム系、塩素化ポリエチレン系等の各種熱可塑性エラストマー等である。また、これらのうちの１種または２種以上を組合せたもの（ポリマーアロイ、ポリマーブレンド、積層体等）でもよい。
【００３３】
図３は、本考案の実施の形態に係る磁気健康器具を装備品としてのボディハーネス２１に適用した例を示す図である。
【００３４】
ボディハーネス２１は、工事高所作業や自衛隊等で使用されている。高所作業時に装着される一般的なボディハーネス２１は、例えば、装着者３０の装着状態で腰の左右から背側に延びて交差し両肩に掛けられ胸側の左右でほぼ平行となって腰の左右に還る一対の肩ベルト２３と、この肩ベルトに腰の左右で連結され、腰の左右から両太腿に延びてその付け根に沿い腰の左右に還る一対のループ状の腿ベルト２４と、胸側の左右の肩ベルト２３を連結する胸ベルト２６と、腿ベルト２４の下端同士を連結する尻当てベルト２５とから構成される。
【００３５】
磁気健康器具１０を構成する磁石体Ｍはボディハーネス２１に取り付けてられている。すなわち、図３に示すように、配列固定部材１２によって固定された磁石１１により形
成された磁石体Ｍは、装備品２１の一部分であるボディハーネス２１の一対の肩ベルト２３の裏面側において、使用者３０の肩部分に対向する部分に、磁石体Ｍにおいて磁界が発生する側を肩ベルト２３の裏面側になるように内装して固定されている。
【００３６】
従って、本実施の形態にあっては、磁石体Ｍから発生する磁界が装着者３０の肩３０ａに対向して形成されることから、装着時には、磁界は装着者の両肩に集中して作用することとなり、肩の筋肉に対して磁界の作用が集中する。
その結果、ボディハーネス２１の使用時に所定の大きさの荷重が装着者３０の肩３０ａに作用し、その状態で長時間作業を行うことにより肩３０ａに疲労や凝りが発生するような場合であっても、作業時間を通じて磁石体Ｍの強力な磁界の作用を肩３０ａに及ぼすことができるため、肩こりや疲労の発生を有効に抑止、解消することができる。
【００３７】
図４は、本考案の実施の形態に係る磁気健康器具をリュックサックに適用した例を示す図である。
【００３８】
リュックサック２２は、例えば、上部に開口部が形成された袋体２７と、開口部に一部が連結されて開口部を覆う蓋体２８と、袋体２７の前側上部および前側下部にそれぞれ連結された左右対となる一対の肩ベルト２９とから構成されている。
本実施の形態にあっても、磁石体Ｍは、一対の肩ベルト２９の裏面側において装着者の肩に対向し当接する部位に内装されて固定されている。この場合の作用、効果は、前記ボディハーネス２１の場合と同様である。
【００３９】
また、装備品は、不図示の肩掛けバッグでもよい。肩掛けバッグは、例えば、上部開口がスライドファスナー等により開閉可能とされたバッグ本体の両側面に、肩ベルトの両端部をそれぞれ取り付けた構成となっている。この場合、装備品の一部分は、肩掛けバッグの肩ベルトであり、磁気健康器具１０は肩ベルトの裏面側に、前記ボディハーネス２１及びリュックサック２２の場合と同様の要領で取り付けられる。その場合の作用、効果もボディハーネス２１及びリュックサック２２の場合と同様である。
【００４０】
また、装備品は、不図示のウエストバッグでもよい。ウエストバッグは、例えば、ポーチ、結合具、および腰ベルトを備える。
【００４１】
ポーチは、小物を収容する袋体であり、上面が開口した横長の箱体状の本体と、本体の背面に接続し、本体の開口を閉じるカバーと、カバーの先端を本体の正面に着脱可能に固定する固定具を有する。本体およびカバーは、例えば、布地、革、ポリエステル等の合成革から成形することができる。なお、ポーチは、小袋、鞄等の任意の形状の袋体であってよい。
【００４２】
結合具は、腰ベルトをポーチに結合する部材であり、例えば、左右に離間してポーチの背面に固定される２つの結合具を含む。それにより、２つの結合具に固定される腰ベルトをウエストに巻き付けることができ、左右に幅を有するポーチを安定してウエストに取り付けることができる。この場合、磁気健康器具１０を構成する磁石体Ｍは腰ベルトの裏面側であって、腰背部に対向して当接する部位に内装固定される。
この場合には、装着者の腰背部に発生する疲労及び筋肉の凝りを有効に抑制、解消することが可能となる。
【００４３】
図５は、本考案の実施の形態に係る磁気健康器具を履物に適用した例を示す図である。
【００４４】
履物２３の種類としては、例えば、各種スポーツ用シューズ、スニーカー、ブーツ、長靴、革靴、ハイヒールの他、草履、スリッパ、サンダルを含む。この場合、装備品２３の一部分は、履物２３のソールである。
ソールは、例えば、インソール（中底）、アウトソール（本底）、ミッドソール（中板）、インナーソール（中敷き）等である。この場合、装備品２３の一部分は、履物２３のソールであり、本実施の形態にあっては、気健康器具１０を構成する磁石体Ｍはアウトソールに、磁界が足裏方向に形成されるようにして内装されている。
本実施の形態にあっては、アウトソール３１の土踏まず部３２の幅方向の両端部に埋設固定されている。
【００４５】
従って、本実施の形態にあっては、装着者が本履物２３を使用した場合には、磁石体Ｍの磁界が足裏に常時作用するように構成されていることから、歩行により足に発生する疲れを磁石体Ｍの磁界が抑制、緩和することができ、長時間歩行しても疲れにくい履物を提供することが可能となる。
【００４６】
また、本考案に係る磁石体Ｍを磁気治療器具に適用した場合には、非常に強力な磁界を発生する磁気治療器具を構成することが可能となり、様々な体調不良への作用が期待される。
【００４７】
以上、本実施の形態を説明したが、本考案は、本実施の形態に限定されることなく、その要旨を逸脱しない範囲内で種々の変形実施をすることが可能である。例えば、磁石１１の数、サイズ、形状等は、適宜変更することが可能である。
【００４８】
また、装備品としては、ボディハーネス２１、バッグ（リュックサック、肩掛けバッグ、ウエストポーチ）２２、履物２３に限らず、作業服やジャケット等の服、スラックス等に用いるベルトでもよい。また、幼児を抱くことができる抱っこ補助具でもよい。
【００４９】
さらに、装備品はネックレスであってもよい。本実施の形態に係る磁石体Ｍによりネックレスを構成した場合には、非常に強力な磁力を発する磁気ネックレスとして使用されることができる。
また、家庭用磁気治療具に本実施の形態に係る磁石体Ｍを適用してもよい。ここで「家庭用磁気治療具」とは、直接に使用者の皮膚に粘着材等を介して貼着し、コリ等の身体上の不調に対して治療作用を及ぼす器具をいう。
本実施の形態に係る磁石体Ｍを利用して家庭用磁気治療具が形成された場合には、上記同様に非常に強力な磁力を発する家庭用磁気治療器を提供することができる。
【産業上の利用可能性】
【００５０】
本考案は、磁力により健康を増進させることが可能な磁気健康器具に関するものであり、広く産業上の可能性を有している。
【符号の説明】
【００５１】
１０      磁気健康器具
１１      磁石
１２      配列固定部材
２１      装備品（ボディハーネス）
２２      装備品（バッグ（リュックサック、肩掛けバッグ、ウエストポーチ）
２３      装備品（履物）
２４      肩ベルト
２５      腿ベルト
２６      胸ベルト
２７      袋体
２８      蓋体
２９      肩ベルト
３０      使用者
３１      アウトソール
Ｍ        磁石体
【図１】
0003225739.tif 000003
【図２】
0003225739.tif 000004
【図３】
0003225739.tif 000005
【図４】
0003225739.tif 000006
【図５】
0003225739.tif 000007
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
ハルバッハ配列された複数の磁石と、
前記磁石の配列を固定するための配列固定部材と、
を備え、  
前記配列固定部材は、前記磁石を収納できる部材であることを特徴とする磁気健康器具。
【請求項２】
上記配列固定部材は柔軟性及び可撓性を有し、使用者の身体に接して用いられる装備品に取り付けられるように構成されていることを特徴とする請求項１記載の磁気健康器具。
【請求項３】
前記装備品の一部分であって、使用者の身体表面に対向する部位に配置されている、ことを特徴とする請求項２に記載の磁気健康器具。
【請求項４】
前記装備品はボディハーネスであり、前記一部分は肩ベルトである、ことを特徴とする請求項３に記載の磁気健康器具。
【請求項５】
前記装備品はリュックサックまたは肩掛けバッグであり、前記一部分は肩ベルトである、ことを特徴とする請求項３に記載の磁気健康器具。
【請求項６】
前記装備品はウエストバッグであり、前記一部分は腰ベルトである、ことを特徴とする請求項３に記載の磁気健康器具。
【請求項７】
前記装備品は履物であり、前記一部分はソールである、ことを特徴とする請求項３に記載の磁気健康器具。
【請求項８】
前記装備品はネックレスであることを特徴とする請求項２又は３の何れか一項に記載の磁気健康器具。
【請求項９】
家庭用磁気治療具であることを特徴とする請求項１記載の磁気健康器具。